(57)【要約】【課題】施工性の向上と意匠性の確保を両立できる鴨居構造を提供する。【解決手段】鴨居３０の鴨居本体３４には、引戸３２を移動可能に支持する吊下げレール３６が設けられている。鴨居本体３４と天井面１８Ａとの間には、鴨居本体３４の長手方向の複数箇所にスペーサ６０が設けられて、鴨居本体３４は、スペーサ６０により長手方向が水平方向とされて天井１８に取り付けられている。また、鴨居本体３４の側面４０Ｃには、プレート３８が設けられており、鴨居本体３４と天井面１８Ａとの隙間のスペーサ６０がプレート３８によって隠されている。プレート３８の下端面は、化粧シート５８によって覆われている。このため、鴨居３０は、施工性の向上と意匠性の確保が両立されている。【選択図】図２
2019015081.tif 000002
【特許請求の範囲】
【請求項１】
天井面に配置されて建具を案内する鴨居本体と、
前記天井面と前記鴨居本体との間において、前記天井面と前記鴨居本体との間隔を調整する間隔調整部材と、
板状に構成されて前記鴨居本体の長手方向と交差する幅方向両側面に取り付けられ、上端が前記天井面に当接又は近接配置されて前記間隔調整部材を隠蔽する隠蔽部材と、
前記隠蔽部材の下端面を覆う被覆部と、
を備えた鴨居構造。
【請求項２】
前記被覆部は、シート状の化粧材である請求項１記載の鴨居構造。
【請求項３】
前記被覆部は、前記鴨居本体の幅方向両側面において前記鴨居本体の幅方向外側に突設されて、上面が前記隠蔽部材の下端面に対向された突部である請求項１記載の鴨居構造。
【請求項４】
前記鴨居本体内には、前記建具が吊下げられて移動可能に支持される吊下げレールが取り付けられている請求項１から請求項３の何れか１項記載の鴨居構造。
【発明の詳細な説明】
【技術分野】
【０００１】
本発明は、引戸を案内する鴨居構造に関する。
【背景技術】
【０００２】
特許文献１の吊下げレールは、下方に向けて開口されると共に、上面両側に天井当接片が突設された略コ字型材を備えており、略コ字型材には、天井当接片の間に天井当接片の高さ寸法と略同一の厚さ寸法の裏板が配置されている。吊下げレールは、裏板の配される付近においてに、略コ字型材の内側から螺子釘が天井面に捩じ込まれて、天井面に略コ字型材が固定されている。これにより、螺子釘を捩じ込む部分において、吊下げレールに撓みが生じるのが防止されている。
【先行技術文献】
【特許文献】
【０００３】
【特許文献１】実開昭６２−１７７８７４号公報
【発明の概要】
【発明が解決しようとする課題】
【０００４】
居室内に引戸を設ける際には、吊下げレールを角材等に埋め込んで鴨居を形成し、この鴨居を天井面に取り付けることで、吊下げレールをそのまま天井面に取り付けた場合に比べて意匠性を向上できる。
【０００５】
ところで、天井面には、僅かながら湾曲や波打ちが生じていることがある。また、既存の天井の天井面に鴨居を取り付けた際に、天井面に湾曲が生じることもある。このような天井面と鴨居との間にスペーサを設けることで、天井面に鴨居を適正に取り付けることができる。
【０００６】
しかし、天井面と鴨居との間にスペーサが設けられていると、スペーサが目に付いて鴨居の意匠性が損なわれる懸念がある。その対策として、板材を鴨居の側面に取り付けてスペーサを隠すことが考えられるが、板材の端面をきれいに仕上げる必要があり、鴨居の取り付け施工に手間がかかってしまう。
【０００７】
本発明は上記事実に鑑みてなされたものであり、施工性の向上と意匠性の確保を両立できる鴨居構造を提供することを目的とする。
【課題を解決するための手段】
【０００８】
本発明の第１の態様は、天井面に配置されて建具を案内する鴨居本体と、前記天井面と前記鴨居本体との間において、前記天井面と前記鴨居本体との間隔を調整する間隔調整部材と、板状に構成されて前記鴨居本体の長手方向と交差する幅方向両側面に取り付けられ、上端が前記天井面に当接又は近接配置されて前記間隔調整部材を隠蔽する隠蔽部材と、前記隠蔽部材の下端面を覆う被覆部と、を備えている。
【０００９】
第１の態様では、建具を案内する鴨居本体を備え、鴨居本体が天井面に取り付けられている。また、鴨居本体と天井面との間には、間隔調整部材が設けられている。
【００１０】
間隔調整部材は、鴨居本体と天井面との間隔を調整するので、天井面が湾曲するなどして鴨居本体と天井面との間の隙間が変化しても、鴨居本体を直線状にできる。また、鴨居本体と天井面との間に間隔調整部材を設けることにより、鴨居本体の長手方向が水平方向になるように鴨居本体を天井面に取り付けることができる。
【００１１】
ここで、鴨居本体の幅方向両側面には、板状の隠蔽部材が設けられており、隠蔽部材は、上端が天井面に当接又は近接されている。また、隠蔽部材の天井側とは反対側の下端面は、被覆部によって覆われる。
【００１２】
このため、鴨居本体の両側面に隠蔽部材を取り付けると共に、隠蔽部材の下端面を被覆部により被覆する簡単な構成で、天井面と鴨居本体との間に設けられた間隔調整部材を隠すことができると共に、隠蔽部材の下端面が被覆部よって隠される。これにより、間隔調整部材及び間隔調整部材を隠す隠蔽部材が意匠性を損ねるのを防止できて、鴨居の意匠性を確保できる。
【００１３】
第２の態様は、第１の態様において、前記被覆部は、シート状の化粧材である。
【００１４】
第２の態様では、被覆部がシート状の化粧材により形成されており、隠蔽部材の下端面が化粧材に覆われる。このため、鴨居の意匠性を確保できる。このような化粧材は、少なくとも隠蔽部材の下端面を覆うように取り付けられればよく、隠蔽部材の鴨居本体とは反対側の面を含めて覆ってもよく、さらに隠蔽部材の下端面を巻き込むようにして、隠蔽部材の鴨居本体側の面に跨って取り付けられてもよい。これにより、隠蔽部材の下端面のみに化粧材を取り付ける場合に比して、隠蔽部材への化粧材の取り付けを容易にできて、鴨居の施工性を向上できる。
【００１５】
第３の態様は、第１の態様において、前記被覆部は、前記鴨居本体の幅方向両側面において前記鴨居本体の幅方向外側に突設されて、上面が前記隠蔽部材の下端面に対向された突部である。
【００１６】
第３の態様では、被覆部として鴨居本体に突部が設けられており、突部が鴨居本体の幅方向外側に突出している。隠蔽部材の下端面は、突部の上面に対向している。これにより、隠蔽部材の下端面を容易に隠すことができて、鴨居の意匠性を確保できる。
【００１７】
第４の態様は、第１の態様から第３の態様の何れかにおいて、前記鴨居本体内には、前記建具が吊下げられて移動可能に支持される吊下げレールが取り付けられている。
【００１８】
第４の態様では、鴨居本体に吊下げレールが設けられており、吊下げレールに建具が支持されて移動可能とされている。
ここで、間隔調整部材により、天井面と鴨居本体との間隔を調整することで、長手方向が水平方向になるように鴨居本体と共に吊下げレールを天井面に取り付けることができる。このため、吊下げレールに支持された建具が円滑に移動可能になる。
【発明の効果】
【００１９】
以上説明したように第１の態様によれば、鴨居本体の両側面に隠蔽部材を取り付けると共に、隠蔽部材の下端面を被覆部により覆うことにより、鴨居の施工性の向上と意匠性の確保を両立できる、という効果が得られる。
【００２０】
第２の態様によれば、隠蔽部材の下端面をシート状の化粧材によって覆うので、鴨居の施工性の向上と意匠性の確保を両立できる、という効果が得られる。
【００２１】
また、第３の態様では、鴨居本体の幅方向両側面に突部を形成するという簡単な構成で、鴨居の意匠性を確保できる、という効果が得られる。
【００２２】
第４の態様によれば、吊下げレールを水平に取り付けできるので、吊下げレールに支持された建具の円滑な移動を可能にできる、という効果が得られる。
【図面の簡単な説明】
【００２３】
【図１】本実施の形態に係る建物の居室の概略を示す平面図である。
【図２】第１の実施の形態に係る鴨居を示す居室の図１の２−２線に沿った断面図である。
【図３】第１の実施の形態に係る鴨居の配置を示す天井側から見た伏せ図である。
【図４】第１の実施の形態に係る鴨居の主要部を斜め下方から見た分解斜視図である。
【図５】（Ａ）及び（Ｂ）は、第１の実施の形態に係る鴨居の主要部の斜視図であり、（Ａ）はプレートの切り出しを示し、（Ｂ）はプレートの鴨居本体への取り付けを示す。
【図６】第２の実施の形態に係る鴨居の主要部を斜め下方から見た分解斜視図である。
【図７】第２の実施の形態に係る鴨居の主要部の断面図である。
【発明を実施するための形態】
【００２４】
以下に図面を参照しながら本発明の実施の形態を詳細に説明する。
図１には、本実施の形態に係る建物１０の主要部が平面図にて示されている。本実施の形態に係る建物１０は、各々が鉄骨によって枠組みされた複数の建物用ユニットを縦横に配列して鉄骨ラーメン構造の躯体が形成されたユニット式の建物（ユニット住宅）とされている。また、建物１０としては、ユニット式の建物に限らず躯体が鉄骨軸組構造であってもよく、鉄骨ラーメン構造及び鉄骨軸組構造以外の構造であってもよい。
【００２５】
建物１０には、居住空間としての居室１２が設けられており、居室１２の周囲は、外壁或いは内壁などの壁部１４（１４Ａ〜１４Ｄ）によって区画されている。居室１２の一つの壁部１４Ａには、壁部１４Ｄ側にドア１６が設けられ、ドア１６により出入り口としてのドア開口１６Ａが開閉される。
【００２６】
図２には、居室１２内の主要部が断面図（図１の２−２矢視図）にて示されている。図２に示すように、居室１２の天井１８は、図示しない天井梁に天井下地２０Ａが支持され、天井下地２０Ａに天井板２０Ｂが取り付けられ、天井板２０Ｂの居室１２側（下面）に設けられた天井クロスなどの天井仕上げ材により天井面１８Ａが形成されている。また、居室１２の床２２は、図示しない床梁又は根太が床下地として、床下地に床板２２Ａが取り付けられており、床板２２Ａ上には、床材（床仕上げ材）２４が設けられている。
【００２７】
図１に示すように、居室１２の壁部１４Ａ、１４Ｂには、薄壁部２６が形成されている。薄壁部２６は、壁部１４Ａ側が薄壁部２６Ａとされ、壁部１４Ｂ側が薄壁部２６Ｂとされている。壁部１４Ａの薄壁部２６Ａは、ドア開口１６Ａより壁部１４Ｂ側において、壁部１４Ａから居室１２内側に突設されており、壁部１４Ｂの薄壁部２６Ｂは、壁部１４Ａと壁部１４Ｃとの中間位置において壁部１４Ｂから居室１２内側に突設されている。
【００２８】
居室１２の床材２４は、薄壁部２６Ａ、２６Ｂの各々からの図示しない延長線と壁部１４Ａ、１４Ｂとによって囲われた矩形領域内の床材２４Ａと、他の領域内が床材２４Ｂとが異なっている。床材２４Ａとしては、例えば、畳風の模様ないし色調のクッションフロア、ビニルシート又はビニルタイル等が用いられる。本実施の形態では、床材２４Ａとして和風の雰囲気の床仕上げ材が用いられており、これにより、居室１２内において和風空間２８が形成されている。また、床材２４Ｂとしては、例えば、フローリング調のクッションフロア、ビニル床シート又はビニルタイルが用いられている。
【００２９】
なお、居室１２の床２２は、床材２４Ａと床材２４Ｂとが同じ仕上がり高さであってもよいが、床材２４Ａの仕上がり高さが、床材２４Ｂの仕上がり高さより僅かに高く（例えば、数ミリ程度）されてもよく、この場合、床材２４Ａ、２４Ｂの境界部分の床材２４Ｂ側に見切り材（スロープ）が設けられてもよい。また、床材２４Ａには、畳が用いられてもよく、床材２４Ｂには、フローリングが用いられてもよい。
【００３０】
一方、居室１２の天井面１８Ａには、本発明に係る鴨居が取り付けられており、第１の実施の形態及び第２の実施の形態において、本発明に係る鴨居を詳細に説明する。
【００３１】
〔第１の実施の形態〕
第１の実施の形態では、居室１２の天井１８に第１の実施の形態に係る鴨居３０が取り付けられている。図３には、天井１８側から見た鴨居３０の配置が伏せ図にて示され、図４には、鴨居３０の主要部が斜め下方（床２２側）から見た斜視図にて示されている。
【００３２】
図１及び図３に示すように、鴨居３０は、壁部１４Ａ側から床材２４Ａと床材２４Ｂとの境界部分に沿って配置された鴨居３０Ａ、及び壁部１４Ｂ側から床材２４Ａと床材２４Ｂとの境界部分に沿って配置された鴨居３０Ｂとにより構成されている。鴨居３０Ａ、３０Ｂは、天井面１８ＡにＬ字状に配置されている。
【００３３】
鴨居３０（３０Ａ、３０Ｂ）には、建具としての引戸３２が設けられており、引戸３２は、１枚又は複数枚が鴨居３０に設けられる。第１の実施の形態では、鴨居３０Ａの長さが鴨居３０Ｂの長さより短くされており、鴨居３０Ａには、引戸３２として２枚の引戸３２Ａ、３２Ｂが設けられ、鴨居３０Ｂには、引戸３２として３枚の引戸３２Ａ、３２Ｂ、３２Ｃが設けられている。鴨居３０Ａ、３０Ｂの各々において、引戸３２が引き出されることにより、居室１２内の一部が仕切られて和風空間２８が形成され、和風空間２８は、Ｌ字状に配置された鴨居３０（３０Ａ、３０Ｂ）により二方が開放及び仕切り可能とされている。
【００３４】
鴨居３０Ａは２枚の引戸３２Ａ、３２Ｂに対応した構成であり、鴨居３０Ｂは３枚の引戸３２Ａ〜３２Ｃに対応した構成である点で鴨居３０Ａ、３０Ｂが相違するが、鴨居３０Ａ、３０Ｂは、基本的構成が同様とされている。以下では、主に鴨居３０Ａを例に鴨居３０（３０Ａ、３０Ｂ）の構成を説明する。
【００３５】
図２から図４に示すように、鴨居３０は、支持部材としての長尺で断面矩形の鴨居本体３４、案内支持部材としての吊下げレール３６、及び隠蔽部材としての合板製のプレート３８を含んで構成されている。鴨居本体３４には、ＭＤＦ（Medium  Density  Fiberboard：中密度繊維板）が用いられている。なお、本実施の形態では、鴨居本体３４としてＭＤＦを用いたが、鴨居本体３４は、ＭＤＦに限らず木材などのＭＤＦ以外の建築材料が用いられてもよい。
【００３６】
鴨居本体３４は、長手方向と交差する方向の断面において長辺となる面（上面４０Ａ）が天井面１８Ａ側に向けられ、他方の面（下面４０Ｂ）が床２２側に向けられ、幅方向の両側の側面４０Ｃの一方が和風空間２８に向けられている。鴨居本体３４は、長手方向周りの周囲の表面（上面４０Ａ、下面４０Ｂ及び両側面４０Ｃ）が所定の仕上がり（意匠性が考慮された仕上り）とされている。鴨居本体３４の仕上げには、シート状の化粧材（化粧シート又は化粧フィルム）が用いられてもよい（被覆されていてもよい）。この場合、例えば、化粧材には、天井板２０Ｂの表面の仕上がりに合わせた雰囲気（色や模様など）の材料が用いられてもよい。
【００３７】
図１及び図３に示すように、薄壁部２６（２６Ａ、２６Ｂ）の先端部には、縦枠４２Ａが配置されており、縦枠４２Ａは、長手方向が上下方向とされて、薄壁部２６の先端部（薄壁部２６Ａの壁部１４Ａとは反対側の端部及び薄壁部２６Ｂの壁部１４Ｂとは反対側の端部）に取り付けられている。
【００３８】
また、薄壁部２６の壁部１４（１４Ａ、１４Ｂ）側には、壁厚が薄壁部２６の壁厚よりも厚くされた厚壁部４４が設けられており、薄壁部２６Ａは、厚壁部４４を介して壁部１４Ａに接続され、薄壁部２６Ｂは、厚壁部４４を介して壁部１４Ｂに接続されている。厚壁部４４は、薄壁部２６Ａ、２６Ｂから和風空間２８側に突出するように形成されており、薄壁部２６Ａ、２６Ｂの各々には、和風空間２８側において厚壁部４４との間に段差が形成されている。
【００３９】
薄壁部２６Ａ側の厚壁部４４には、薄壁部２６Ａとの間の段差部分において壁部１４Ａとは反対側の端部（端面）に縦枠４２Ｂが取り付けられており、薄壁部２６Ｂ側の厚壁部４４には、薄壁部２６Ｂとの間の段差部分において壁部１４Ｂとは反対側の端部（端面）に縦枠４２Ｂが取り付けられている。縦枠４２Ｂは、長手方向が上下方向に配置されて薄壁部２６（２６Ａ、２６Ｂ）の和風空間２８側の面に接している。
【００４０】
鴨居３０Ａの鴨居本体３４Ａは、薄壁部２６Ａの和風空間２８側に配置されて、長手方向の一端が縦枠４２Ｂに当接されており、鴨居３０Ｂの鴨居本体３４Ｂは、薄壁部２６Ｂの和風空間２８側に配置されて、長手方向の一端が縦枠４２Ｂに当接されている。また、鴨居本体３４Ａ及び鴨居本体３４Ｂは、壁部１４Ａ及び壁部１４Ｂとは反対側において、一方の長手方向の端面が他方の側面４０Ｃに当接されてＬ字状に接合されている。第１の実施の形態では、一例として、鴨居本体３４Ｂの壁部１４Ｂとは反対側の端部の側面４０Ｃに、鴨居本体３４Ａの長手方向端面が当接されている。鴨居本体３４Ａ、３４Ｂは、鴨居本体３４Ｂの長手方向において鴨居本体３４Ｂの壁部１４Ｂとは反対側の端面と、鴨居本体３４Ａの和風空間２８とは反対側の側面４０Ｃとが面一とされている。
【００４１】
図２及び図４に示すように、吊下げレール３６は、矩形略筒状かつ断面略Ｃ字形状とされている。吊下げレール３６の一つの面には、幅方向中間部にガイド溝４６が開口されており、ガイド溝４６は、吊下げレール３６の長手方向の両端まで延設されている。
【００４２】
鴨居本体３４には、下面４０Ｂに一つ又は複数の矩形溝４８が形成されており、矩形溝４８は、鴨居本体３４において長手方向の両端まで延設されている。矩形溝４８には、吊下げレール３６が挿入（嵌合でもよい）されている。吊下げレール３６は、ガイド溝４６が外側（下側）に向けられた状態で矩形溝４８に挿入されて、鴨居本体３４内に収容されている。鴨居本体３４Ａには、２本の矩形溝４８が形成されて、２本の吊下げレール３６が収容されており、鴨居本体３４Ｂには、３本の矩形溝４８が形成されて、３本の吊下げレール３６が収容されている（図１参照）。
【００４３】
図４に示すように、吊下げレール３６のガイド溝４６と反対側の壁面には、幅方向中間部に取付孔３６Ａが設けられており、取付孔３６Ａは、吊下げレール３６の長手方向に所定間隔で穿孔されている。図２に示すように、吊下げレール３６は、鴨居本体３４の矩形溝４８に収容された状態で取付孔３６Ａにタッピングねじ５０が挿入される。このタッピングねじ５０が鴨居本体３４に捩じ込まれることで、吊下げレール３６が鴨居本体３４に取り付けられる。また、鴨居本体３４は、上面４０Ａから突出されたタッピングねじ５０が、さらに天井板２０Ｂ及び天井下地２０Ａに捩じ込まれることで、天井１８に取り付けられている。
【００４４】
引戸３２は、吊下げレール３６に支持されている。鴨居本体３４Ａには、和風空間２８側の吊下げレール３６に引戸３２Ａが配置されて、和風空間２８とは反対側の吊下げレール３６に引戸３２Ｂが配置されている。なお、鴨居本体３４Ｂには、和風空間２８側の吊下げレール３６に引戸３２Ａが配置されて、和風空間２８とは反対側の吊下げレール３６に引戸３２Ｂが配置されている共に、幅方向中間部（引戸３２Ａ、３２Ｂの間）の吊下げレール３６に引戸３２Ｃが配置されている。
【００４５】
吊下げレール３６の各々には、複数（例えば、２個）の吊下げ車５２が配置されている。吊下げ車５２には、支持金具５４Ａに一対のローラ（吊車）５４Ｂが回転自在に取り付けられていると共に、支持金具５４Ａに固定金具５４Ｃが取り付けられている。吊下げ車５２は、ローラ５４Ｂの各々が吊下げレール３６内に配置されて、ガイド溝４６の開口周縁壁面上に当接されており、支持金具５４Ａがガイド溝４６から下方に突出されて、支持金具５４Ａの突出先端部に固定金具５４Ｃが取り付けられている。吊下げ車５２は、ローラ５４Ｂが吊下げレール３６内を移動されることで、支持金具５４Ａが固定金具５４Ｃと共に、吊下げレール３６の長手方向に移動される。
【００４６】
引戸３２には、幅方向の両端部において上部に吊下げ車５２の固定金具５４Ｃが取り付けられている。これにより、引戸３２は、吊下げ車５２を介して吊下げレール３６に吊下げられて支持され、吊下げレール３６の長手方向に移動可能とされている。また、図１に示すように、薄壁部２６（２６Ａ、２６Ｂ）の幅寸法（縦枠４２Ａと縦枠４２Ｂとの間隔）と引戸３２（３２Ａ〜３２Ｃ）の幅寸法とは略同様とされており、引戸３２は、縦枠４２Ｂに当接されることで、薄壁部２６（２６Ａ、２６Ｂ）の和風空間２８側に重なって収納状態とされる。
【００４７】
引戸３２（３２Ａ〜３２Ｃ、図２では、引戸３２Ｃの図示を省略）の下面には、連結溝５６Ａが形成されている。連結溝５６Ａは、所定深さとされて引戸３２の下面に形成されて、下方に向けて開口されており、連結溝５６Ａは、引戸３２の幅方向に連続され、且つ引戸３２の幅方向の両端において閉じられている（幅方向の両端面には開口していない）。
【００４８】
また、和風空間２８とは反対側の引戸３２（３２Ｂ、３２Ｃ、図２では、引戸３２Ｂを図示）には、和風空間２８側（引戸３２Ａ側）の面の下端部に略帯状の連結金具５６Ｂが取り付けられている。連結金具５６Ｂの下端部は、和風空間２８側に向けて折り曲げられていると共に、折り曲げられた先端部が更に上方に向けて折り返されている。鴨居本体３４Ａ側においては、引戸３２Ｂに連結金具５６Ｂが取り付けられており、この連結金具５６Ｂの先端部が引戸３２Ａの連結溝５６Ａに挿入されている。なお、鴨居本体３４Ｂ側においては、引戸３２Ｂ、３２Ｃに連結金具５６Ｂが取り付けられており、引戸３２Ｂの連結金具５６Ｂの先端部が引戸３２Ｃの連結溝５６Ａに挿入され、引戸３２Ｃの連結金具５６Ｂの先端部が引戸３２Ａの連結溝５６Ａに挿入されている（図示省略）。
【００４９】
これにより、図１に示すように、鴨居３０Ａ側において引戸３２Ａを収納状態から引き出す（引出し方向に移動する）ことで、引戸３２Ａ、３２Ｂが収納状態から順に引き出され（図１の破線参照）、引戸３２Ａを収納状態に戻す（引戻し方向に移動する）ことで、引戸３２Ａと共に、引戸３２Ｂが収納位置に移動される（図１の実線参照）。また、鴨居３０Ｂ側において引戸３２Ａを引出し方向に移動することで、引戸３２Ａ、３２Ｃ、３２Ｂが収納状態から順に引き出され（図１の破線参照）、引戸３２Ａを引戻し方向に移動することで、引戸３２Ａと共に、引戸３２Ｃ、３２Ｂが収納位置に移動される（図１の実線参照）。
【００５０】
一方、図２及び図４に示すように、鴨居３０には、間隔調整部材としてのスペーサ６０が設けられており、スペーサ６０は、鴨居本体３４の上面４０Ａと天井面１８Ａとの間に配置されている。鴨居本体３４の長手方向の両端部の間において、スペーサ６０は、少なくとも１箇所に設けられ、鴨居本体３４の長手方向の両端部の間の複数個所に設けられてもよい。第１の実施の形態において、スペーサ６０は、複数個所に設けており、スペーサ６０の配置箇所には、鴨居本体３４及び吊下げレール３６においてタッピングねじ５０が捩じ込まれる箇所が含まれる。
【００５１】
スペーサ６０は、合板製とされており、長さ（鴨居本体３４の長手方向の長さ）及び幅（鴨居本体３４の幅方向の長さ）が同様とされたものが複数枚用いられており、スペーサ６０の幅寸法は、鴨居本体３４の幅寸法と同様か僅かに短くされている。また、スペーサ６０は、厚さの異なる複数種類が用いられており、第１の本実施の形態では、厚さが２ｍｍ及び４ｍｍの２種類のスペーサ６０を用いている。即ち、スペーサ６０は、所望の高さとするように、厚さの同じ同種又は厚さの異なる異種のものが１枚又は複数枚ずつ用いられる。
【００５２】
スペーサ６０は、鴨居本体３４（鴨居本体３４に取り付けられた吊下げレール３６）を水平状態にした際に、鴨居本体３４の上面４０Ａと天井面１８Ａとの隙間に１枚又は複数枚が重ねられて用いられる。この際、スペーサ６０は、鴨居本体３４の上面４０Ａと天井面１８Ａとの間隔に合せて、種類（厚さ）及び枚数が調整される。
【００５３】
図４に示すように、スペーサ６０は、上面に両面テープ６２Ａが貼付されて、両面テープ６２Ａによって複数枚が重ねて仮止めされる。また、仮止めされたスペーサ６０には、少なくとも四隅において、下側からサラタッピングねじ６２Ｂが捩じ込まれ、サラタッピングねじ６２Ｂが天井板２０Ｂ及び天井下地２０Ａに捩じ込まれる。これにより、スペーサ６０は、天井１８（天井面１８Ａ）に強固に固定される（図２参照）。
【００５４】
図１から図４に示すように、鴨居本体３４（３４Ａ、３４Ｂ）には、隠蔽部材としてのプレート３８が設けられている。プレート３８には、所定厚さ（例えば、厚さ４ｍｍ）の帯板状合板が用いられ、プレート３８は、一方の面（仕上げ面３８Ａ）が所定状態に仕上げられている。
【００５５】
図２に示すように、プレート３８の幅寸法は、天井面１８Ａと天井面１８Ａに取り付けられた鴨居本体３４の下面４０Ｂとの距離（長さ）に等しくなるように形成されている。また、プレート３８は、仕上げ面３８Ａが鴨居本体３４の幅方向外側に向けられ、且つ長手方向が水平方向（鴨居本体３４の長手方向）とされて、鴨居本体３４の幅方向両側の側面４０Ｃに取り付けられている。この際、プレート３８は、幅方向の一方の端面（下側の端面、下端面）が鴨居本体３４の下面４０Ｂに略面一とされ、幅方向の他方の端面（上側の端面）が天井面１８Ａに当接するか天井面１８Ａに近接されている。プレート３８の鴨居本体３４への取り付けには、エチレン系接着剤などの建築材料の接着剤が用いられ、プレート３８は、接着剤によって鴨居本体３４の側面４０Ｃの略全域に固着されている。
【００５６】
一方、プレート３８には、図２及び図５（Ｂ）に示すように、被覆部及びシート状の化粧材としての化粧シート５８が設けられている。プレート３８は、鴨居本体３４に取り付けられた際の少なくとも下端面が化粧シート５８により覆われる。また、化粧シート５８は、プレート３８の下端面のみならず、プレート３８の仕上り面３８Ａを覆うように設けられてもよく、プレート３８の上端面から仕上り面３８Ａ及び下端面を含めて覆ってもよい。図５（Ｂ）に二点鎖線で示すように、第１の実施の形態において、化粧シート５８は、プレート３８の裏面（仕上り面３８Ａとは反対側の面）の上側から仕上り面３８Ａを経て裏面の下側に達するように取り付けられている。
【００５７】
化粧シート５８としては、鴨居本体３４の下面４０Ｂが化粧シートにより被覆されている場合、この化粧シートと同様のものを用いてもよい。また、化粧シート５８としては、居室１２の天井面１８Ａに設けられた天井仕上げ材（例えば、天井クロス）又は天井仕上げ材と同様の色調（色及びデザイン）のものが用いられてもよく、天井面１８Ａ及び鴨居本体３４の下面４０Ｂの仕上りに合せ且つ意匠性を考慮した色調のものを用いてもよい。
【００５８】
これにより、鴨居３０は、鴨居本体３４と天井面１８Ａの間に配置されたスペーサ６０が、鴨居本体３４の側面４０Ｃに取り付けたプレート３８によって隠されると共に、プレート３８の居室１２内への露出部分（床２２側から視認される部分）が化粧シート５８によって覆われる。
【００５９】
次に第１の実施の形態の作用として、鴨居３０（３０Ａ、３０Ｂ）の取り付けを説明する。第１の実施の形態において、鴨居３０の鴨居本体３４には、矩形溝４８が形成されており、矩形溝４８に吊下げレール３６が収納される。この鴨居本体３４を天井１８に取り付ける際には、鴨居本体３４と天井面１８Ａとの間にスペーサ６０を配置する。
【００６０】
スペーサ６０は、鴨居本体３４の長手方向の所定箇所（長手方向の両端部及び吊下げレール３６の取付孔３６Ａに対応する箇所）に配置されて、各箇所において最下層のスペーサ６０の下面が略面一になるようにスペーサ６０の種類（厚さ）及び種類ごとの枚数が設定される。各箇所のスペーサ６０の種類及び枚数（厚さごとの枚数）が設定されると、設定されたスペーサ６０を重ねて両面テープ６２Ａによって仮止めする。この後、仮止めした各位置のスペーサ６０をサラタッピングねじ６２Ｂによって天井下地２０Ａ及び天井板２０Ｂに固定して、スペーサ６０を天井面１８Ａに配置する。
【００６１】
このようにして天井面１８Ａの複数箇所にスペーサ６０を取り付けた後、各箇所のスペーサ６０に跨るように鴨居本体３４を架け渡して、タッピングねじ５０によって鴨居本体３４をスペーサ６０と共に天井１８に取り付ける。鴨居本体３４の天井１８への取り付けは、タッピングねじ５０をスペーサ６０、天井板２０Ｂ及び天井下地２０Ａに捩じ込んで行われる。この際、スペーサ６０が天井下地２０Ａ及び天井板２０Ｂに固定されており、鴨居本体３４は、このスペーサ６０に固定されると共に、天井下地２０Ａ及び天井板２０Ｂに固定される。これにより、天井梁等に支持手段を設けなくても、鴨居本体３４及び吊下げレール３６を強固に天井１８に固定できるので、既に仕上がっている天井１８に鴨居本体３４及び吊下げレール３６を強固に固定して、天井面１８Ａに配置できる。
【００６２】
次に、図５（Ａ）及び図５（Ｂ）を参照しながら、鴨居本体３４へのプレート３８の取り付けを説明する。図５（Ａ）には、天井１８に取り付けられた鴨居本体３４に合わせたプレート３８の切り出しの概略が斜視図にて示され、図５（Ｂ）には、切り出したプレート３８の鴨居本体３４への取り付けの概略が斜視図にて示されている。
【００６３】
図５（Ａ）に示すように、鴨居本体３４に取り付けるプレート３８には、鴨居本体３４の上下方向寸法（上面４０Ａと下面４０Ｂとの間隔寸法、厚さ）の２倍以上の幅を有する規格品の帯板材６６が用いられる。この帯板材６６は、一方の面が所定状態に仕上げられた仕上げ面６６Ａとされており、仕上げ面６６Ａがプレート３８における仕上げ面３８Ａとされる。
【００６４】
帯板材６６からのプレート３８の切り出しは、帯板材６６の仕上げ面６６Ａを鴨居本体３４の一方の側面４０Ｃに当てると共に、帯板材６６の幅方向の上側の端面を天井面１８Ａに当てて、鴨居本体３４に対して帯板材６６を仮配置する。この状態で、鴨居本体３４の下面４０Ｂ（帯板材６６が接する側面４０Ｃと下面４０Ｂとの間の角部分）に合わせた位置に、墨だし用筆記具６８を用いて墨入れを行う（切り出し線を書き込む）。
【００６５】
次に、帯板材６６を切り出し線に沿って切断することで、鴨居本体３４の一方の側面４０Ｃに用いるプレート３８を切り出す。なお、鴨居本体３４の他方の側面４０Ｃのプレート３８は、鴨居本体３４の一方の側面４０Ｃのプレート３８を切り出した残りの帯板材６６を用いて、同様の作業を行う。これにより、帯板材６６から鴨居本体３４の両側面４０Ｃの各々に合わせた２枚のプレート３８が得られる。
【００６６】
次に、図５（Ｂ）に示すように、プレート３８の小口（帯板材６６において切断した端面）を上側にして、プレート３８を鴨居本体３４に取り付ける。この際、鴨居本体３４へのプレート３８の取り付けに先立って、プレート３８に化粧シート５８を取り付けて、プレート３８を化粧シート５８により被覆する。
【００６７】
化粧シート５８は、例えば、プレート３８の小口側の裏面から仕上り面３８Ａを経て小口とは反対側の裏面に達するようにプレート３８に巻き掛ける。これにより、鴨居本体３４に取り付け状態で下側になるプレート３８の端面を化粧シート５８によって覆うことができると共に、プレート３８の仕上り面３８Ａも化粧シート５８によって覆うことができる。また、プレート３８の下端面のみ覆う場合に比べて、被覆作業が極めて容易になると共に、被覆されていない部分が生じるのを防止できて、被覆作業の作業性を向上できる。
【００６８】
この後、プレート３８の仕上り面３８Ａ（墨入れ時に鴨居本体３４の側面４０Ｃに当てた帯板材６６の仕上り面６６Ａ）が、鴨居本体３４の幅方向外側に向くようにプレート３８を鴨居本体３４の側面４０Ｃに対向させ、プレート３８の下端面が鴨居本体３４の下面４０Ｂと略面一になるようにして、プレート３８の裏面を鴨居本体３４の側面４０Ｃに固着する。これにより、プレート３８の小口が天井１８側とされていると共に、小口が天井面１８Ａに接するか又は近接した状態で、プレート３８が鴨居本体３４に固定される。鴨居本体３４の両側面４０Ｃにプレート３８が固定されることで、天井１８に固定されて天井面１８Ａに配置された鴨居３０が仕上げられる。
【００６９】
なお、鴨居本体３４Ａ、３４Ｂでは、鴨居本体３４Ａの長手方向の一方（壁部１４Ａとは反対側）の端面が鴨居本体３４Ｂの側面４０Ｃに当接し、鴨居本体３４Ｂの長手方向の一方（壁部１４Ｂとは反対側）の端面が露出しているので、この端面にも、化粧シート５８により被覆したプレート３８を取り付ける。鴨居本体３４Ｂの長手方向の端面に設けるプレート３８は、鴨居本体３４Ｂの長手方向の端面に合せて帯板材６６から切り出して形成してもよい。また、鴨居本体３４Ｂの長手方向端面は、鴨居本体３４Ａの和風空間２８とは反対側の側面４０Ｃと面一になる。ここから、鴨居本体３４Ａにおいて和風空間２８とは反対側の側面４０Ｃのプレート３８を、鴨居本体３４Ｂの長手方向端面を含めた長さにして帯板材６６から切出すようにしてもよい。
【００７０】
また、プレート３８の１枚の長さは、プレート３８を取り付ける鴨居本体３４の側面４０Ｃと同じ略長さにしてもよい。この場合、１枚のプレート３８によって鴨居本体３４の一つの側面４０Ｃ側を覆うことができるので、作業性を向上できる。また、鴨居本体３４の側面４０Ｃを長手方向に複数の領域に分割して、分割した領域の各々に合せてプレート３８を切り出して、鴨居本体３４の側面４０Ｃ上において各プレート３８を突き合わせて繋ぐようにしてもよい。この場合、各プレート３８の長さを短くできるので、プレート３８の取り扱い性を向上できて、鴨居本体３４への取り付け作業を容易にできる。また、天井面１８Ａの湾曲が大きい場合には、プレート３８を複数に分割することで、鴨居本体３４に取り付けた際に、プレート３８の上端（小口）と天井面１８Ａの隙間を狭めることができる。
【００７１】
また、鴨居本体３４Ａ、３４Ｂの接続部分における出隅側及び入隅側においては、鴨居本体３４Ａ側のプレート３８と鴨居本体３４Ｂ側のプレート３８の各々を面取りして、面取り面を突き合わせた留め加工を行うことが好ましい。また、鴨居本体３４Ａ、３４Ｂの各々の縦枠４２Ａ、４２Ｂ側においては、プレート３８の端部を所定の形状で切落とし、切落とし部分と縦枠４２Ａ、４２Ｂとの間の形状に合せた形状に形成したプレート３８を、端部を切落としたプレート３８と縦枠４２Ａ、４２Ｂとの間に嵌め込んで留め加工を行うことが好ましい。これにより、プレート３８の端部の仕上りを向上できて鴨居３０Ａ、３０Ｂの意匠性を確保できる。
【００７２】
このようにして形成された鴨居３０では、鴨居本体３４と天井面１８Ａとの間にスペーサ６０が設けられており、鴨居本体３４と天井面１８Ａとの間の隙間がプレート３８によって塞がれる。このため、鴨居本体３４と天井面１８Ａとの間に挟んでいるスペーサ６０をプレート３８によって目隠し（隠蔽）できる。これにより、鴨居本体３４と天井面１８Ａとの間に設けられたスペーサ６０を見えなくできて、鴨居３０の意匠性を確保できる。
【００７３】
また、プレート３８を鴨居本体３４の側面４０Ｃに取り付ける際には、帯板材６６から切り出したときの小口を天井面１８Ａ側にしている。このため、帯板材６６において直線状に仕上がっている幅方向の端面を居室１２内から見える下側にできるので、プレート３８の下端面と鴨居本体３４の下面４０Ｂとが不揃いになるのを抑制できる。これにより、鴨居本体３４の下面４０Ｂ側の仕上がりを向上できて、鴨居３０の意匠性を確保できる。しかも、帯板材６６から切り出すことにより生じるプレート３８の小口が、下側から視認し難い天井面１８Ａに向けられているので、小口が見え難くなって、鴨居の意匠性を確保できる。
【００７４】
また、プレート３８の下端面が居室１２内（床２２側）から見えるが、プレート３８の下端面は、化粧シート５８によって覆われている。このため、プレート３８の下端面の仕上りが鴨居３０の意匠性を損ねることがないので、鴨居３０の意匠性を確保できる。
【００７５】
さらに、鴨居３０では、鴨居本体３４の上面４０Ａと天井面１８Ａとの間に設けたスペーサ６０により、鴨居本体３４及び鴨居本体３４の吊下げレール３６を略水平にできる。このため、吊下げレール３６に吊下げられている引戸３２の位置が偏るのを抑制できる。即ち、吊下げレール３６が傾斜していると、引戸３２が傾斜下側に移動してしまうことがあるが、このような引戸３２の移動を抑制できる。また、吊下げレール３６が傾斜している場合、吊下げレール３６の長手方向の一方向へ移動と他方向への移動とでは、引戸３２の動きが異なることがあるが、鴨居３０では、吊下げレール３６を略水平にできるので、引戸３２を吊下げレール３６の長手方向の一方向及び他方向の各々に円滑に移動可能にできる。
【００７６】
また、鴨居３０は、天井面１８Ａに配置されて取り付けられるので、既存の建物の天井や建築中の建物において既に仕上がった天井に取り付けることができる。この際、スペーサ６０を用いることで、天井面１８Ａの状態（平面状態）に関わらず、鴨居本体３４の長手方向を水平方向にできる。また、スペーサ６０を設けることで、複数の鴨居本体３４Ａ、３４Ｂが接続される際にも、鴨居本体３４Ａ、３４Ｂの下面４０Ｂが面一になるように調整できる。鴨居３０では、これらのスペーサ６０がプレート３８によって隠されると共に、プレート３８の露出部分（下端面）を化粧シート５８により覆っている。このため、スペーサ６０及びプレート３８を設けた場合において、鴨居３０の意匠性を確保できる。
【００７７】
〔第２の実施の形態〕
次に、図６及び図７を用いて、本発明の第２の実施の形態を説明する。第２の実施の形態の基本的構成は、前記した第１の実施の形態と同様であり、第２の実施の形態において第１の実施の形態と同様の機能部品については、第１の実施と同様の符号を付与し、その詳細な説明を省略する。
【００７８】
第２の実施の形態では、第１の実施の形態の鴨居３０に代えて鴨居７０が用いられおり、居室１２には、鴨居３０に代えて鴨居７０が取り付けられ、鴨居７０に設けられた引戸３２によって和風空間２８が仕切られる。図６には、第２の実施の形態に係る鴨居７０の主要部が斜め下方から見た分解斜視図にて示されており、図７には、第２の実施の形態に係る鴨居７０が断面図にて示されている。
【００７９】
鴨居７０には、支持部材としての長尺で断面略矩形の鴨居本体７２が設けられている。鴨居本体７２は、ＭＤＦ等が用いられて形成されており、厚さ方向（上下方向）の一方の面が天井面１８Ａに対向される上面７４Ａとされ、厚さ方向の他方の面が下側に向けられる下面７４Ｂとされている。また、鴨居本体７２の下面７４Ｂには、矩形溝４８が形成されており、鴨居本体７２には、矩形溝４８に吊下げレール３６が挿入配置されている。
【００８０】
一方、鴨居本体７２の幅方向両側には、段差部７６が形成されており、段差部７６は、鴨居本体７２の上面７４Ａ側が断面矩形状に切り取られた形に形成されて、鴨居本体７２の長手方向全域に渡って形成されている。これにより、鴨居本体７２には、被覆部及び突部としての断面矩形状の突条部７８が設けられており、突条部７８は、下面７４Ｂに沿って鴨居本体７２の幅方向の外側に突出され、鴨居本体７２の長手方向に筋状に延伸されている。鴨居本体７２は、上面７４Ａ、下面７４Ｂ及び突条部７８の先端の表面７８Ａ（鴨居本体７２の側面に対応する面）が仕上げ面として適切な所定の状態に仕上げられている。この鴨居本体７２の表面の仕上げには、化粧シート（図示省略）が用いられてもよい。
【００８１】
鴨居本体７２が取り付けられる天井面１８Ａには、鴨居本体７２の長手方向の複数箇所においてスペーサ６０が設けられており、鴨居本体７２は、各箇所のスペーサ６０に跨って架け渡されて天井１８に取り付けられている。鴨居本体７２に用いられるスペーサ６０の幅寸法は、鴨居本体７２の上面７４Ａの幅寸法（段差部７６部分を除いた幅寸法）と同様に設定されるか僅かに短く設定されている。また、各箇所のスペーサ６０は、下面が面一とされ、全体として略水平とされている。
【００８２】
天井１８に取り付けられた鴨居本体７２の段差部７６の各々には、隠蔽部材としてのプレート８０が配置されており、プレート８０は、鴨居本体７２においてプレート３８に代えて設けられている。プレート８０は、帯板状合板とされており、プレート８０の厚さは、鴨居本体７２の突条部７８の突出長さ（段差部７６の切欠き幅）と同様にされている。また、プレート８０は、一方の表面が所定の状態に仕上げられた仕上げ面８０Ａとされている。なお、この仕上げ面８０Ａには、化粧シート５８が用いられてもよい。
【００８３】
プレート８０は、鴨居本体７２の突条部７８上面と天井面１８Ａとの間隔に略等しくなる幅寸法に加工される（例えば、帯板材から切り出される）。加工されたプレート８０は、長手方向が鴨居本体７２の長手方向（水平方向）に向けられると共に、幅方向が上下方向に向けられ、かつ、仕上げ面８０Ａが鴨居本体７２とは反対側に向けられて、下側が鴨居本体７２の段差部７６に収められる。また、プレート８０は、仕上げ面８０Ａが鴨居本体７２の幅方向外側に向けられると共に、幅方向の一端が突条部７８上面に当接され、幅方向の他端が天井面１８Ａに接するか又は近接された状態で接着剤等により鴨居本体７２に固着される。
【００８４】
このように構成された鴨居７０は、鴨居本体７２の上面７４Ａと天井面１８Ａとの間に設けたスペーサ６０により、鴨居本体７２及び吊下げレール３６を略水平に配置されている。このため、鴨居７０では、吊下げレール３６を略水平にできるので、引戸３２を吊下げレール３６の長手方向の一方向（引出し方向）及び他方向（引戻し方向）の各々に円滑に移動できる。
【００８５】
また、鴨居７０では、鴨居本体７２と天井面１８Ａとの間の隙間がプレート８０によって隠される。このため、鴨居本体７２と天井面１８Ａとの間に挟んでいるスペーサ６０をプレート８０によって目隠し（隠蔽）できるので、鴨居７０の意匠性を確保できる。
【００８６】
また、鴨居本体７２には、突条部７８が形成されており、突条部７８の上面にプレート８０の下端面が当接されている。鴨居本体７２からの突条部７８の突出長さとプレート８０の厚さとが同様とされているので、プレート８０の仕上り面８０Ａと突条部７８の表面７８Ａとを略面一にできる。このため、鴨居７０の側面に凹凸が生じることがないので、鴨居７０の意匠性を確保できる。
【００８７】
また、プレート８０の下端面は、予め鴨居本体７２に形成されている突条部７８上面に当接されて、突条部７８により隠される。このため、プレート８０は、下端面にシート状の化粧材（例えば化粧シート５８）等を設けて仕上げを行う必要がないので、鴨居７０の取り付け（組み付け）を容易にできる。しかも、鴨居７０の下端面は、鴨居本体７２の下面７４Ｂのみにより形成されるので、鴨居７０の意匠性を確保できる。なお、プレート８０の仕上り面８０Ａには、仕上り面８０Ａ及び鴨居７０のデザイン性を考慮して設定したシート状の化粧材（例えば化粧シート５８）を設けてもよく、これにより、鴨居７０の意匠性を向上できる。
【００８８】
さらに、鴨居７０においても前記した鴨居３０と同様に、天井面１８Ａに配置されて取り付けられるので、既存の建物の天井や、建築中の建物において既に仕上がった天井に取り付けることができる。この際、鴨居７０自体の意匠性を確保できると共に、鴨居７０が設けられる居室１２の意匠性を向上できる。
【００８９】
なお、以上説明した第１及び第２の実施の形態では、間隔調整部材として複数枚を重ねて所定の厚さを形成するスペーサ６０を用い、スペーサ６０を鴨居本体（３０、７０）の長手方向の複数個所に配置した。しかしながら、間隔調整部材の構成はこれに限るものではなく、間隔調整部材は、鴨居本体と天井面との間に配置されることで、鴨居本体を適正な所定の状態し得る構成であればよい。間隔調整部材は、鴨居本体の長手方向の複数個所に限らず１箇所に配置されてもよく、複数個所に配置されてもよい。また、間隔調整部材は、複数枚を重ねて所定の厚さにする構成に限らず、鴨居本体と天井面との間隔に合わせた厚さに加工される構成であってもよい。さらに、間隔調整部材は、スペーサ６０に比して長いものであってもよく、長尺の間隔調整部材の厚さは、鴨居本体及び天井面と接する範囲において、鴨居本体の長手方向に沿う鴨居本体と天井面との間隔の変化に合せて長手方向の厚さを変化させてもよい。
【００９０】
また、第１及び第２の実施の形態では、居室１２内において、二方を開放及び仕切るように鴨居３０、７０を設けた例を説明した。しかしながら、鴨居は、居室内において一方を開放及び仕切るように設けてもよく、三方や四方を開放及び仕切るように設けてもよい。即ち、第１及び第２の実施の形態では、鴨居３０、７０をＬ字状に配置したが、鴨居は、対向する二つの壁部を直線状に繋ぐように配置してもよく、コ字状や矩形状に配置してもよい。
【００９１】
また、第１の実施の形態及び第２の実施の形態では、吊下げレール３６を設け、建具としての引戸３２を吊下げレール３６に移動可能に支持した鴨居３０、７０を例に説明した。しかしながら、鴨居は、床面に設けられる敷居との間で建具を移動可能に保持する構成であってもよい。この場合、鴨居は、吊下げレールを収容する矩形溝４８に代えて、建具の上かまち上部（縦かまち上端部、上縁上部）が案内されるあぜが形成されればよい。これにより、既存の天井においても、居室の一部を仕切る建具を設けるための鴨居の取り付けが容易になると共に、取り付けた鴨居が居室の美観を損ねるのを防止できる。
【符号の説明】
【００９２】
１０    建物
１２    居室
１８    天井
１８Ａ    天井面
２８    和風空間
２４（２４Ａ、２４Ｂ）    床材
３０（３０Ａ、３０Ｂ）、７０    鴨居
３２（３２Ａ〜３２Ｃ）    引戸（建具）
３４（３４Ａ、３４Ｂ）、７２    鴨居本体
３６    吊下げレール
３８、８０    プレート（隠蔽部材）
４０Ｂ、７４Ｂ    下面（鴨居本体の下面）
４０Ｃ    側面
５２    吊下げ車
５８    化粧シート（被覆部、シート状の化粧材）
６０    スペーサ（間隔調整部材）
６６    帯板材
７８    突条部（被覆部）
８０Ａ    表面
【図１】
2019015081.tif 000003
【図２】
2019015081.tif 000004
【図３】
2019015081.tif 000005
【図４】
2019015081.tif 000006
【図５】
2019015081.tif 000007
【図６】
2019015081.tif 000008
【図７】
2019015081.tif 000009